(57)【要約】【課題】多面付けして印字が可能で生産性が高く、しかも、印字のない部分のあるクジの出荷を未然に防止できるクジ及びその製造方法を提供する。【解決手段】クジ１０は、ユニーク情報視認部１１ａを備えているので、プリンタ印字により、確認用ユニーク情報部１４を形成した第２基材１２Ａを、第１基材１１で隠蔽して貼りあわせても、ユニーク情報視認部１１ａの孔部からユニーク情報部１４を目視により確認できるので、当否の印字がある部分１３Ａの存在を判別することができる。一方、プリンタにより印字がされていない第２基材１２Ｂの場合には、ユニーク情報部１４を印字すべき領域Ｂにユニーク情報部１４が印字されていないので、ユニーク情報視認部１１ａの孔部からユニーク情報部１４を目視により確認できず、当否の印字がない（当否の印字がない部分１３Ｂがある）と判別することができる。【選択図】図１
2006001193.tif 000002
【特許請求の範囲】
【請求項１】
第１基材と第２基材とを周縁部を含む略全域で貼り合わせるクジであって、
前記第２基材は、確認用情報部が形成され、
前記第１基材は、前記第２基材と貼り合わせた状態で、その第２基材の前記確認用情報部を視認可能な情報視認部を備えること、
を特徴とするクジ。
【請求項２】
請求項１に記載のクジにおいて、
前記情報視認部は、前記第１基材の一部に形成された視認用孔部であること、
を特徴とするクジ。
【請求項３】
請求項１に記載のクジにおいて、
前記情報視認部は、前記第１基材が前記第２基材より狭く又は小さく形成された視認用領域であること、
を特徴とするクジ。
【請求項４】
請求項１から請求項３までのいずれか１項に記載のクジを製造するクジの製造方法において、
前記第１及び第２基材は、第１及び第２基材用シートから、クジ製品領域とクジ製品外領域を多面分割して作製し、
前記情報視認部は、前記クジ製品外領域に設けること、
を特徴とするクジの製造方法。  
【請求項５】
請求項４の記載のクジの製造方法において、
前記確認用情報部は、前記クジ製品領域と前記クジ製品外領域により、種別の異なる記号や番号を使用すること、
を特徴とするクジの製造方法。
【発明の詳細な説明】
【技術分野】
【０００１】
本発明は、２枚の用紙を貼りあわせるタイプのクジ及びその製造方法に関するものである。
【背景技術】
【０００２】
従来、この種のクジは、親展はがきとして利用されている技術を応用して、ミシン目を介して連接された第１基材と第２基材とを折り畳んで貼り合せるものが知られている（例えば、特許文献１）。
しかし、この場合に、印字時の幅が約２倍となり、多面付けが困難であることと、ベースがハガキサイズの貼り合わせ機となるため、生産性が高いものではなく、結果的に高価格になっていた。
【０００３】
一方、本件出願人は、別のタイプのクジとして、第１基材と第２基材とからなり、第２基材にのみ印字を行い、多面付けして印字が可能となり、低コストでの製造が可能なものが提案しようとしている。
【特許文献１】特開２００２−６７５５９号公報
【発明の開示】
【発明が解決しようとする課題】
【０００４】
上記提案のクジは、２枚の基材を、丁合技術を応用して貼り合せるようにしたもの（以下、「丁合方式のクジ」という）であり、前述した特許文献１（ハガキ方式）のものとは、比較できないほど大きなサイズで製造が可能になっている。ハガキの場合は、現行、概ね幅４インチ×天地６インチとなっており、クジのサイズとしては、通常これを３分割した程度になる。つまり、幅４インチ×天地２インチ程度のサイズで言うと、３面までしか作れない。
【０００５】
一方、丁合方式のクジは、幅２０インチ、天地１４インチ程度まで対応可能な丁合機がほとんどであるが、仮に、これを一回り小さいサイズの丁合機で幅１６インチ×天地１２インチと仮定しても、一度に２４面形成可能であり、いかに生産性が高いか理解できる。
【０００６】
しかし、この丁合方式のクジにも、以下のような課題があることが判明した。
図５は、丁合方式のクジ５０の課題を説明するための図である。
すなわち、丁合方式のクジ５０は、印字情報を形成（通常は、プリンタ印字）した第２基材５２（５２Ａ，５２Ｂ）を、第１基材５１で隠蔽してしまうために、一旦貼りあわせてしまうと、印字がある部分５３Ａと印字がない部分５３Ｂの差がなく、判別できなくなってしまうのである。クジを購入したのに、当たりか外れかさえも分からないものが出てくれば、大問題となってしまう。
もちろん、第１基材５１にも印字をするようにすれば、問題を解決させることは容易であるものの、印字コストが高く（通常は２倍）なってしまい、高い生産性を活かすことができなくなってしまう。そのうえ、第１基材と第２基材とのデータマッチングという別種の課題が新たに発生してしまう。
【０００７】
逆に、第２基材５２Ｂの印字のない部分５３Ｂを、あらかじめすべて廃棄してから丁合すれば、判別すること自体が必要なくなるため上記課題の解決となるものの、やはり歩留まり悪化によるコスト増となり、せっかくの高い生産性が発揮できなくなってしまう。
プリンタにせよ、丁合機にせよ、機械的な構造上、必ずスタートとエンドには使用できない部分ができてしまうため、コストを抑制するためには、この部分をいかに有効活用できるか、で決まってきてしまう。
【０００８】
本発明の課題は、多面付けして印字が可能で生産性が高く、しかも、印字のない部分のあるクジの出荷を未然に防止できるクジ及びその製造方法を提供することである。
【課題を解決するための手段】
【０００９】
前記課題を解決するために、請求項１の発明は、第１基材と第２基材とを周縁部を含む略全域で貼り合わせるクジであって、前記第２基材は、確認用情報部が形成され、前記第１基材は、前記第２基材と貼り合わせた状態で、その第２基材の前記確認用情報部を視認可能な情報視認部を備えること、を特徴とするクジである。
請求項２の発明は、請求項１に記載のクジにおいて、前記情報視認部は、前記第１基材の一部に形成された視認用孔部であること、を特徴とするクジである。
請求項３の発明は、請求項１に記載のクジにおいて、前記情報視認部は、前記第１基材が前記第２基材より狭く又は小さく形成された視認用領域であること、を特徴とするクジである。
請求項４の発明は、請求項１から請求項３までのいずれか１項に記載のクジを製造するクジの製造方法において、前記第１及び第２基材は、第１及び第２基材用シートから、クジ製品領域とクジ製品外領域を多面分割して作製し、前記情報視認部は、前記クジ製品外領域に設けること、を特徴とするクジの製造方法である。
請求項５の発明は、請求項４の記載のクジの製造方法において、前記確認用情報部は、前記クジ製品領域と前記クジ製品外領域により、種別の異なる記号や番号を使用すること、を特徴とするクジの製造方法である。
【発明の効果】
【００１０】
以上説明したように、本発明によれば、第２基材には、確認用情報部が形成され、第１基材には、第２基材と貼り合わせた状態で、その第２基材の前記確認用情報部を視認可能な情報視認部を備えるので、印字のない部分のあるクジの出荷を未然に防止することができる。
【発明を実施するための最良の形態】
【００１１】
本発明は、印字のない部分のあるクジの出荷を未然に防止するという目的を、第１基材に形成した円形の視認用孔部等で、第２基材の確認用の確認用ユニーク情報部を視認することによって実現する。
【実施例１】
【００１２】
以下、図面等を参照して、本発明の実施例をあげて、さらに詳しく説明する。
図１は、本発明によるクジの実施例１を示す図である。なお、以下に示す各実施例では、前述した図５のクジと同様な機能を果たす部分には、末尾に統一した符号を付して、重複する説明を適宜省略する。
実施例１のクジ１０は、第１基材１１と、２次元バーコード等の確認用ユニーク情報部（確認用情報部）１４を有する第２基材１２とを、周縁部を含む略全域で貼り合わせるクジである。
第１基材１１は、第２基材１２と貼り合わせた状態で、その第２基材１２の確認用ユニーク情報部１４を確認可能なユニーク情報視認部（情報視認部）１１ａを備えている。実施例１では、ユニーク情報視認部１１ａは、第１基材１１の一部に形成された円形の孔部である。
【００１３】
このように、実施例１のクジ１０は、ユニーク情報視認部１１ａを備えているので、プリンタ印字により、確認用ユニーク情報部１４を形成した第２基材１２Ａを、第１基材１１で隠蔽して貼りあわせても、ユニーク情報視認部１１ａの孔部からユニーク情報部１４を目視により確認できるので、当否の印字がある部分１３Ａの存在を判別することができる。
一方、プリンタにより印字がされていない第２基材１２Ｂの場合には、ユニーク情報部１４を印字すべき領域Ｂにユニーク情報部１４が印字されていないので、ユニーク情報視認部１１ａの孔部からユニーク情報部１４を目視により確認できず、当否の印字がない（当否の印字がない部分１３Ｂがある）と判別することができる。
【実施例２】
【００１４】
図２は、本発明によるクジの実施例２を示す図である。
実施例２のクジ２０では、ユニーク情報視認部２１ａは、第１基材２１が第２基材２２より長辺が短く（狭く又は小さく）形成された領域２１ａを備えている。また、ユニーク情報部２４は、第２基材２２の端部に形成された矩形マークである。
このように、実施例２のクジ２０は、ユニーク情報視認部２１ａを備えているので、プリンタ印字により、ユニーク情報部２４を形成した第２基材１２Ａを、第１基材２１で隠蔽して貼りあわせても、ユニーク情報視認部２１ａの領域からユニーク情報部２４を目視により確認できるので、当否の印字がある部分２３Ａの存在を判別することができる。
一方、プリンタにより印字がされていない第２基材２２Ｂの場合には、ユニーク情報部２４を印字すべき領域Ｂにユニーク情報部２４が印字されていないので、ユニーク情報視認部２１ａの領域からユニーク情報部２４を目視により確認できず、当否の印字がない（当否の印字がない部分２３Ｂがある）と判別することができる。
【実施例３】
【００１５】
図３は、本発明によるクジの実施例３を示す図である。
実施例３のクジ３０では、ユニーク情報視認部３１ａは、第１基材２１の角部に切欠き部状に形成された領域３１ａを備えている。また、ユニーク情報３４は、第２基材３２の角部に形成された三角マークである。
実施例３のクジ３０は、実施例２のクジ２０と同様な効果を得ることができ、しかも、ユニーク情報視認部３１ａの切欠きが、第１基材２１を第２基材２２から剥離するときの切っ掛けとなり、剥がしやすい。
【００１６】
図４は、本発明によるクジの実施例４を示す図である。
実施例４のクジ４０は、第１基材４１と第２基材４２とを基材用シートから多面に分割するときに、製品部分となるクジ製品領域Ｘと、製品手前部分となるクジ製品外領域Ｙに分かけれ作製され、ユニーク情報視認部４１ａをクジ製品外領域Ｙに設けたものである。
この場合に、ユニーク情報視認部４１ａは、第１基材４１のクジ製品外領域Ｙに形成された円形の孔部である。また、ユニーク情報４４は、第２基材４２のクジ製品外領域Ｙに形成された十字マークである。
実施例４のクジ４０は、上記各実施例と同様な効果をうることができ、しかも、クジ製品としたときに、ユニーク情報を確認後に、ユニーク情報視認部４１ａを含むクジ製品外領域Ｙを切り取ってしまえば、見栄えよい。
【００１７】
（変形例）
以上説明した実施例に限定されることなく、種々の変形や変更が可能であって、それらも本発明の均等の範囲内である。
確認用の情報視認部は、製品手前部分と、製品部分で種別の異なる記号や番号を使用することができる。
ここで、製品手前部分と製品部分とは、次のようなことを示している。プリンタは、まず、印字するための用紙をある程度排紙できる通常状態までフィードさせる。当然、印字ヘッドより先になった部分への印字はできないので、この状態から印字すると、印字のない白紙部分、つまり、突然、「製品部分」という状態になる。しかし、通常は、印字位置の微調整があるため、白紙から、即「製品部分」という印字データとしてしまうと、印字位置の微調整部分も製品部分とカウントされてしまう可能性が生ずる。
単純な「アタリ」か「ハズレ」かのクジであれば、あまり問題にもならないが、携帯電話で申し込むような「パスワード式のクジ」であったりすると、例えば、印字位置が少しだけズレてもやり直さなければならない。この場合は、用紙を切断して、再度印字をしなければならず、手間（結局はコスト）がかかったり、用紙を切断せずに進行すると、同じ番号が出てきてしまったりする、という問題が発生する。
反対に、印字位置合わせに供した部分は、すべて廃棄してしまうことにすれば、重複する危険性はなくなるものの、本来、「製品部分」として入れるべき印字データ分が欠けてしまう。予備番号を多く用意しておけばよいが、結局は、管理が面倒になったり、予備番号を多く確保するために、番号そのものを多く生成する必要が生じてしまう。
これらの状況から、印字のない白紙部分と製品部分の間に、「印字はあるものの製品ではない部分（製品手前部分）」を設けることがある。この部分は、印字調整のみに使用されるので、ある意味では無駄な部分になるのであるが、例えば、「１０、９、８、７・・・」といったカウントダウンさせるような印字データを作り、「１の次から本番の製品部分」といった形であれば、確実に製品を確保することができる。そして、通常は、前述した白紙部分と、カウントダウンデータ部分で丁合の条件を合わせ込んでいくようになる。こうすることで、歩留まりと製品の正確性を両立している。
【図面の簡単な説明】
【００１８】
【図１】本発明によるクジの実施例１を示す図である。
【図２】本発明によるクジの実施例２を示す図である。
【図３】本発明によるクジの実施例３を示す図である。
【図４】本発明によるクジの実施例４を示す図である。
【図５】丁合方式のクジの課題を説明するための図である。
【符号の説明】
【００１９】
１０，２０，３０，４０  クジ
１１，２１，３１，４１  第１基材
１１ａ，２１ａ，３１ａ，４１ａ  ユニーク情報視認部
１２，２２，３２，４２  第２基材
１４，２４，３４，４４  確認用ユニーク情報部
【図１】
2006001193.tif 000003
【図２】
2006001193.tif 000004
【図３】
2006001193.tif 000005
【図４】
2006001193.tif 000006
【図５】
2006001193.tif 000007